(57)【要約】      （修正有）【課題】簡易かつ低コストな構成で、自立しにくい板状体又はそれに類する物品を狭いスペースで効率良く立て掛け収容可能とする。【解決手段】棚板１の側端部２に嵌合する形状を有して該両側端部に固定される固定枠１２、及び該固定枠と一体に形成され棚板面に対して交差する方向に開口する凹部を有する支持体１１からなる支持部１０と、互いに鈍角に折り曲げられた直線の集合体又は該直線集合体を基本形状とする曲線形状を有し、先端部が該支持体の開口に挿入固定されると共に、表面が緩衝性膜体で被覆された棒状の立掛け部材と、を備え、複数の支持部１０を棚板の両側端部２に物品の大きさ又は形状に応じて設定される間隔で固定することにより、複数の立掛け部材を棚板の上方又は下方の少なくとも一方に突出するように棚板１に沿って並設してなる。【選択図】図１
0003140477.tif 000002
【実用新案登録請求の範囲】
【請求項１】
棚板と複数の立掛け部材とを支持フレームに組み込み、板状体又はそれに類する形状の物品を棚板又は床面上で該立掛け部材に立て掛け収容してなる棚板構造において、
棚板の両側端部又は該両側端部を支持する支持フレームに嵌合する形状を有して該両側端部又は該支持フレームに固定される固定枠、及び該固定枠と一体に形成され棚板面に対して交差する方向に開口する収容空間を有する支持体からなる支持部と、
互いに鈍角に折り曲げられた直線の集合体又は該直線集合体を基本形状とする曲線形状をなし、先端部が該支持体の収容空間に挿入固定されると共に、表面が緩衝性膜体で被覆された棒状の立掛け部材と、を備え、
複数の支持部を棚板の両側端部に前記物品の大きさ又は形状に応じて設定される間隔で固定することにより、複数の立掛け部材を棚板の上方又は下方の少なくとも一方に突出するように棚板に沿って並設してなることを特徴とする棚板構造。
【請求項２】
前記立掛け部材の先端部を前記支持体の収容空間に挿入する長さを規定長さで固定する固定具を備えたことを特徴とする請求項１に記載の棚板構造。
【請求項３】
前記支持体が両端に開口を有する管状体で構成され、
前記固定具が、該管状体の隔壁に穿設されたメネジ孔に螺合し該立掛け部材の先端部を規定挿入長さで管状体の内壁に押付け固定する固定ボルトと、該固定ボルトより奥側の限界挿入位置に設けられ管状体の中空部に横架される係止部材と、からなることを特徴とする請求項２に記載の棚板構造。
【請求項４】
前記緩衝性膜体が織布層を内包し耐圧性を有するように構成することを特徴とする請求項１に記載の棚板構造。
【請求項５】
管状の緩衝性膜体の内部に速乾性潤滑油を介在させて前記立掛け部材を挿入するようにして該立掛け部材に該緩衝性膜体を被覆するようにしたことを特徴とする請求項１又は４に記載の棚板構造。
【考案の詳細な説明】
【技術分野】
【０００１】
本考案は、簡易かつ低コストな構成で、車両のドアなどの板状体又はそれに類する形状の物品を立掛け収容するようにした棚板構造に関する。
【背景技術】
【０００２】
従来、商品陳列台などに設けられた棚板に自立が困難な商品を陳列する場合の棚板構造が、特許文献１（特開平７−１６３４４５号公報）に開示されている。この棚板構造を図７に基づいて説明する。図７において、商品陳列台０１の棚板０２に、自立不能な商品ｇを立て掛ける波形に曲折された２列の商品スタンド０３、０３を設けている。波形に形成された商品スタンド０３、０３は、商品ｇを立て掛ける窪み０４が設けられている。
【０００３】
そして、商品スタンド０３、０３の先端に、商品ｇの説明を表示した商品説明板０５を取り付けることにより、商品スタンド０３、０３を商品ｇに合った間隔に固定できる。商品スタンド０３、０３に隣接して、隣接する商品陳列領域との間を仕切る仕切部材０６が設けられている。
【０００４】
また、特許文献２（特開２００１−８０８７０号公報）には、重量パネル用の立て掛け装置が開示されている。この立て掛け装置の構成を図８に基づいて説明する。図８において、この立て掛け装置０１０は、床面Ｂに載置可能なベース枠体０１１と、このベース枠体０１１に夫々が一定間隔Ｇを保持した状態で着脱可能に立設される仕切枠体０１２、０１２Ａ、０１２Ｂ及び０１２Ｃと、これらの仕切枠体０１２〜０１２Ｃのうち最外方に位置する仕切枠体０１２、０１２Ｃに着脱可能に設けられた転倒防止枠体０１３及び０１３Ａとを備え、一定間隔Ｇを重量パネルＡの厚さ寸法より大きく設定した立て掛け装置０１０に、重量パネルＡを立て掛けて保管するようにしている。
【０００５】
【特許文献１】特開平７−１６３４４５号公報
【特許文献２】特開２００１−８０８７０号公報
【考案の開示】
【考案が解決しようとする課題】
【０００６】
特許文献１に開示された棚板構造は、波形の商品スタンド０３、０３の窪み０４に商品ｇを立て掛けるようにしているため、専ら小型軽量の商品に適し、重量のある商品ｇには不向きである。また、商品スタンド０３、０３を波形加工するので、加工に手間がかかる。
【０００７】
特許文献２に開示された立て掛け装置０１０は、重量パネル用であるため、大型化し、大きなスペースを要すると共に、重量パネルが寄り掛かる仕切枠体０１２、０１２Ａ〜０１２Ｃは、高剛性で高強度にする必要があるため、高コストとなる。
【０００８】
本考案は、かかる従来技術の課題に鑑み、重量のある物品であっても簡易かつ低コストな構成で立て掛け収容が可能であると共に、自立しにくい板状体又はそれに類する物品を狭いスペースで効率良く立て掛け収容することができる棚板構造を実現することを目的とする。
【課題を解決するための手段】
【０００９】
かかる目的を達成するため、本考案の棚板構造は、
棚板と複数の立掛け部材とを支持フレームに組み込み、板状体又はそれに類する形状の物品を棚板又は床面上で該立掛け部材に立て掛け収容してなる棚板構造において、
棚板の両側端部又は該両側端部を支持する支持フレームに嵌合する形状を有して該両側端部又は該支持フレームに固定される固定枠、及び該固定枠と一体に形成され棚板面に対して交差する方向に開口する収容空間を有する支持体からなる支持部と、
互いに鈍角に折り曲げられた直線の集合体又は該直線集合体を基本形状とする曲線形状をなし、先端部が該支持体の収容空間に挿入固定されると共に、表面が緩衝性膜体で被覆された棒状の立掛け部材と、を備え、
複数の支持部を棚板の両側端部に前記物品の大きさ又は形状に応じて設定される間隔で固定することにより、複数の立掛け部材を棚板の上方又は下方の少なくとも一方に突出するように棚板に沿って並設してなるものである。
【００１０】
本考案の棚板構造では、前記支持部が固定枠を介して棚板の両側端部又は該両側端部を支持する支持フレームに溶接又はボルト止め等の手段で固定される。支持部の間隔は、立て掛ける物品の大きさ又は形状に応じて決定される。支持部は、棚板面に対して交差する方向に開口する収容空間を有しており、該収容空間に棒状の立掛け部材を挿入固定することにより、複数の立掛け部材を棚板の上方又は下方の少なくとも一方に突出するように棚板に沿って並設してなるものである。
【００１１】
従って、本考案の棚板構造では、棚板に沿って棒状の立掛け部材を棚板の上方又は下方の少なくとも一方に突出するように構成しているので、簡易かつ低コストな構成で、自立ができにくい物品の立て掛け収容が可能となる。また、立掛け部材の表面には、緩衝性膜体を被覆しているので、物品に傷や凹みを付けることがない。さらに、棒状の立掛け部材は、互いに鈍角に折り曲げられた直線の集合体又は該直線集合体を基本形状とする曲線形状をなしているので、管状の緩衝性膜体の内部に立掛け部材を挿入する場合に、大きな摩擦力が発生しない。従って、緩衝性膜体の取り付けが容易になる。
【００１２】
本考案の棚板構造において、立掛け部材の先端部を支持体の凹部に挿入する長さを規定長さで固定する固定具を備えるようにするとよい。これによって、立掛け部材の先端部が必要以上に支持体の収納空間に挿入されることがなくなる。また、複数の立掛け部材の挿入長さを一律に揃えることができるので、複数の立掛け部材の高さを一定に揃えることができる。また、立掛け部材の先端部が支持体の収納空間から外れるのを確実に防止できる。
【００１３】
さらに、支持体を両端に開口を有する管状体で構成すると共に、前記固定具を、該管状体の隔壁に穿設されたメネジ孔に螺合し該立掛け部材の先端部を規定挿入長さで管状体の内壁に押付け固定する固定ボルトと、該固定ボルトより奥側の限界挿入位置に設けられ管状体の中空部に横架される係止部材とで構成するとよい。かかる構成によって、支持体の構成を簡素化できると共に、立掛け部材の先端部を管状体内に確実に挿入固定することができる。また、管状体に挿入固定される立掛け部材の先端部の長さを一律に揃えることができるので、複数の立掛け部材の高さを一定に揃えることができる。また、前記係止部材によって立掛け部材の挿入限界位置を規定することができる。
【００１４】
また、本考案において、緩衝性膜体が織布層を内包し耐圧性を有するように構成するとよい。これによって、緩衝性膜体の緩衝機能を保持しつつ、緩衝性膜体に耐圧性を付与することによって、高圧が付加されても、緩衝性膜体が一定以上膨張しないため、緩衝性膜体の保形性を維持することができる。また、緩衝性膜体として、既存の水道管等を使用できるため、低コストとなる。
【００１５】
また、本考案において、緩衝性膜体を棒状の立掛け部材に被覆させる場合に、管状の緩衝性膜体の内部に速乾性潤滑油を介在させて立掛け部材を挿入するとよい。本考案の立掛け部材は、互いに鈍角に折り曲げられた直線の集合体又は該直線集合体を基本形状とする曲線形状をなしているので、管状の緩衝性膜体の内部に立掛け部材を挿入する際に、大きな摩擦力が発生しない。そのため、管状の緩衝性膜体への立掛け部材の挿入が容易になる。
【考案の効果】
【００１６】
本考案の棚板構造によれば、棚板と複数の立掛け部材とを支持フレームに組み込み、板状体又はそれに類する形状の物品を棚板又は床面上で該立掛け部材に立て掛け収容してなる棚板構造において、棚板の両側端部又は該両側端部を支持する支持フレームに嵌合する形状を有して該両側端部又は該支持フレームに固定される固定枠、及び該固定枠と一体に形成され棚板面に対して交差する方向に開口する収容空間を有する支持体からなる支持部と、互いに鈍角に折り曲げられた直線の集合体又は該直線集合体を基本形状とする曲線形状をなし、先端部が該支持体の収容空間に挿入固定されると共に、表面が緩衝性膜体で被覆された棒状の立掛け部材と、を備え、複数の支持部を棚板の両側端部に前記物品の大きさ又は形状に応じて設定される間隔で固定することにより、複数の立掛け部材を棚板の上方又は下方の少なくとも一方に突出するように棚板に沿って並設してなることにより、簡素な構成で、自立しにくい物品の立て掛け及び収容を省スペースで効率良く行なうことができる。
【００１７】
即ち、棒状の立掛け部材を用いるため、立掛け部材自体の構成を簡素化できると共に、立掛け部材を支持固定する支持部の間隔を物品の形状又は大きさに応じて調整できるので、省スペース化を可能とする。また、立掛け部材が互いに鈍角に折り曲げられた直線の集合体又は該直線集合体を基本形状とする曲線形状をなし、鋭角な折れ曲がり部を有さないので、余分な突出部がなく、しかも、立掛け部材を緩衝性膜体で被覆しているので、物品が立掛け部材に当っても物品に傷や凹みが付かない。さらに、管状の緩衝性膜体に立掛け部材を挿入するのが容易になる。
【考案を実施するための最良の形態】
【００１８】
以下、本考案を図に示した実施形態を用いて詳細に説明する。但し、この実施形態に記載されている構成部品の寸法、材質、形状、その相対配置などは特に特定的な記載がない限り、この考案の範囲をそれのみに限定する趣旨ではない。
【００１９】
本考案の一実施形態を図１〜図６に基づいて説明する。図１において、棚板１は、棚板面が水平方向に配置されており、棚板１の両側端部には、中空で長方形状の閉断面をなす支持フレーム２が配置されている。支持フレーム２の内側面には断面が正方形状をなす閉断面を有する中空のフレーム３が固着されている。そして、フレーム３の水平な上面に棚板１が載置され支持されている。支持フレーム２の上辺２ａ及び下辺２ｂにはメネジを形成したボルト孔４が穿設されている。なお、かかる構成の棚板１を上下に複数階配置するようにしてもよい。
【００２０】
支持部１０は、内部が中空な鋼製の管状体１１と、断面がコ字形状をなす鋼製の固定枠１２とから構成されている。管状体１１は固定枠１２の長手方向に対して直交する方向に溶接部ｗで固定枠１２に固着されている。固定枠１２は支持フレーム２の外形に嵌合する形状を有し、固定枠１２の上下フランジ１２ａ及び１２ｂには、メネジを形成したボルト孔１３が夫々２個ずつ穿設されている。そして、ボルト１４がボルト孔４及びボルト孔１３に螺着することにより、固定枠１２を支持フレーム２に固定している。
【００２１】
なお、支持フレーム２の上面２ａ及び下面２ｂには等間隔に複数のボルト孔４が穿設され、支持フレーム２の長手方向の所望の位置に固定枠１２を固定可能になっている。
【００２２】
立掛け部材２０ａ及び２０ｂは、管状の金属製バー２１ａ及び２１ｂと、金属製バー２１ａ及び２１ｂの表面に被覆されたビニールチューブ２２ａ及び２２ｂから構成されている。なお、管状体１１の上下に配置される立掛け部材２０ａ及び２０ｂ又は該立掛け部材を構成する部品で、上下立掛け部材に共通する記述については、以後、符号末尾のａ又はｂを省略して記述する。立掛け部材２０の先端部２３は、ビニールチューブ２２が被覆されておらず、該先端部２３は、管状体１１の上下に開口した開口１５ａ又は１５ｂから中空な管状体１１の内部に挿入される。
【００２３】
立掛け部材２０を構成する金属製バー２１の形状は、折り曲げられた直線の集合体をなしている。各直線部の折り曲げ角α及びβは、いずれも９０°より小角の鈍角をなして折り曲げ形成されている。従って、管状のビニールチューブ２２に金属製バー２１を挿入する時に、大きな摩擦力が発生せず、金属製バー２１の挿入が容易になる。ビニールチューブ２２に金属製バー２１を挿入する際には、ＣＲＣ５−５６等の速乾性潤滑油をそれらの間に介在させる。
【００２４】
これによって、ビニールチューブ２２への金属製バー２１の挿入がさらに容易になる。錆止め効果がある速乾性潤滑油を用いるとなお良い。これによって、金属製バー２１の錆止めが可能になる。図５に示すように、ビニールチューブ２２は、織布層２４を内包している。ビニールチューブ２２は弾力性を有するが、織布層２４を内包しているため、一定以上の負荷に対して一定以上変形しない。ビニールチューブ２２に織布層２４を介在させることによって、耐圧性を向上させることができる。
【００２５】
管状体１１には、上下方向３箇所に等間隔にメネジが形成されたボルト孔１６ａ〜ｃが穿設されている。これらボルト孔にはボルト１７ａ〜ｃが螺入される。ボルト孔１６ａ及び１６ｃでは、開口１５ａ又は１５ｂから管状体１１内に挿入された金属製バー２１の先端部２３の周面をボルト１７ａ又は１７ｃの先端で押圧することにより、先端部２３の挿入長さを規定長さで固定することができる。
【００２６】
なお、ビニールチューブ２２の外表面と管状体１１の内周面との摩擦力によって、立掛け部材２０を仮固定することもできる。その状態でボルト１７ａ又は１７ｃで先端部２３を押圧固定することにより、複数の立掛け部材２０の先端部２３の挿入長さを正確に一定にすることができる。管状体１１の略中央に穿設されたボルト孔１６ｂに螺合されるボルト１７ｂは、管状体１１の内部で対向する内周面に接するまで螺入させる。これによって、立掛け部材２０の先端部２３をボルト１７ｂの位置で係止させることができる。このように、ボルト１７bによって、先端部２３の挿入限界位置を規定することができる。
【００２７】
図２及び図３は、夫々支持部１０の異なる構成を示す。図２に示す支持部１０は、管状体１１の上下開口１５ａ及び１５ｂに夫々立掛け部材２０が挿入固定される場合の構成を示す。これによって、棚板１の上下に立掛け部材２０を突設させることができ、棚板１に上下に配置された物品を立て掛け収容することができる。
【００２８】
図３に示す支持部１０’は、管状体１１’の下方部分を短くし、管状体１１’の上方開口１５ａにのみ立掛け部材２０ａを挿入固定し、管状体１１’の下方開口１５ｂには立掛け部材２０ｂを挿入固定しない構成としたものである。この支持体１０’を用いる場合は、棚板１の下方に物品の収容空間を設けないか、あるいは棚板１の下方に物品の収容空間を設けても、物品の上部を支える立掛け部材２０を不要とする場合である。
【００２９】
かかる構成の本実施形態によれば、棚板１の両側端部に配置される支持部１０と立掛け部材２０とからなる簡素な構成で、棚板１の上下空間に自立ができにくい物品の収容する空間を形成することができる。
また、支持部１０の固定枠１２を支持フレーム２に固定する場合に、支持フレーム２の上下面に等間隔に穿設されたボルト孔４を介してボルト１４で固定しているので、立掛け物品の形状又は大きさに応じて支持部１０間の間隔を自由に調整できる。従って、仕切り領域を省スペース化でき、立掛け部材を効率良く収容することができる。
【００３０】
また、立掛け部材２０の先端部２３を管状体１１の内部に挿入固定する場合に、ボルト１７ａ及び１７ｃで該先端部２３を管状体１１の内周面に押圧して固定するので、管状体１１に対する立掛け部材２０の固定を確実に行なうことができる。また、複数の支持部１０で先端部２３の挿入長さを正確に同一とすることができる。
【００３１】
また、立掛け部材２０は、金属製バー２１の表面に弾性のビニールチューブ２２を被覆しているので、立掛け部材２０に立て掛ける物品に傷や凹みを付けるおそれがない。さらに、ビニールチューブ２２ａには織布層２４を内包しているので、高圧の負荷に対して良好な耐圧性をもたせることができる。
【００３２】
また、金属製バー２１を管状のビニールチューブ２２に挿入する場合、金属製バー２１の形状は、折り曲げられた直線の集合体をなし、各直線部の折り曲げ角α及びβは、いずれも９０°より小角の鈍角をなしているので、金属製バー２１とビニールチューブ２２間に働く摩擦力が軽減される。さらに、速乾性を有するＣＲＣ５−５６等の潤滑油を金属製バー２１とビニールチューブ２２の間に介在させているので、金属製バー２１とビニールチューブ２２間の摩擦力が大幅に低減して、ビニールチューブ２２への金属製バー２１の挿入が容易になる。また、錆止め効果のある潤滑油を使用すれば、金属製バー２１の錆止めを行なうことができる。
【００３３】
図６は、本実施形態の棚板構造を車両のドア部ｄの立て掛け収容に適用した場合の状態を示す斜視図である。図６において、立設された支持フレーム５に支持フレーム２が複数階に亘って水平方向に架設され、各支持フレーム２に棚板１が支持固定されている。下方の棚板１には、図２に示す支持部１０が並設され、棚板１の上下に立掛け部材２０ａ、２０ｂが取り付けられている。上方の棚板１には図３に示す支持部１０’が配設され、棚板１の上方にのみ立掛け部材２０ａが取り付けられている。支持部１０間の間隔Ｇは、支持フレーム２に設けられたボルト孔４を選択することによって調整可能になっている。
【００３４】
なお、前記実施形態では、金属製バー２１を互いに鈍角をなす直線状バーの集合体で構成したが、代わりに、楕円や放物線等の曲線形状をなす金属製バー２１で構成してもよい。
【産業上の利用可能性】
【００３５】
本考案によれば、簡易かつ低コストな構成で、車両のドアなどの板状体又はそれに類する形状の物品を立掛け収容するようにした棚板構造を実現できる。
【図面の簡単な説明】
【００３６】
【図１】本考案の棚板構造に係る一実施形態の斜視図である。
【図２】前記実施形態に係る支持部１０の斜視図である。
【図３】前記実施形態に係る支持部１０の変形例の斜視図である。
【図４】前記実施形態に係る立掛け部材２０の正面図である。
【図５】前記実施形態に係るビニールチューブ２２の断面図である。
【図６】前記実施形態の適用例を示す斜視図である。
【図７】従来の商品陳列装置の棚板構造を示す斜視図である。
【図８】従来の重量パネルの立て掛け装置を示す斜視図である。
【符号の説明】
【００３７】
１        棚板
２、５    支持フレーム
１０      支持部
１１      管状体（支持体）
１２      固定枠
１５ａ、１５ｂ    開口
１７ａ、１７ｃ    固定ボルト（固定具）
１７ｂ    ボルト（係止部材）
２０ａ、２０ｂ    立掛け部材
２１ａ、２１ｂ    金属製バー
２２ａ、２２ｂ    ビニールチューブ（緩衝性膜体）
２３ａ、２３ｂ    先端部
２４      織布層
ｄ        車両ドア部（板状体）
【図１】
0003140477.tif 000003
【図２】
0003140477.tif 000004
【図３】
0003140477.tif 000005
【図４】
0003140477.tif 000006
【図５】
0003140477.tif 000007
【図６】
0003140477.tif 000008
【図７】
0003140477.tif 000009
【図８】
0003140477.tif 000010
【手続補正書】
【提出日】平成20年2月6日(2008.2.6)
【手続補正１】
【補正対象書類名】明細書
【補正対象項目名】００１４
【補正方法】変更
【補正の内容】
【００１４】
また、本考案において、緩衝性膜体が織布層を内包し耐圧性を有するように構成するとよい。これによって、緩衝性膜体の緩衝機能を保持しつつ、緩衝性膜体に耐圧性を付与することによって、高圧が付加されても、緩衝性膜体が一定以上膨張しないため、緩衝性膜体の保形性を維持することができる。また、緩衝性膜体として、既存の水道用ホースまたはチューブ等を使用できるため、低コストとなる。